(57)【特許請求の範囲】
【請求項１】
監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、制御アドレスである入力アドレスおよび外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、入力アドレスに制御対象として対応付けられており判定値記憶部の設定内容を読み込むとともに判定値記憶部に第１フラグが設定されていると入力アドレスを用いて伝送されたデータのオンオフを第１連動アドレスにイベントとして対応付け判定値記憶部に第２フラグが設定されていると入力アドレスを用いて伝送されたデータのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えることを特徴とする遠隔監視制御システムの制御内容切替ユニット。
【請求項２】
監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、手操作されるスイッチと、制御アドレスである外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、前記スイッチの操作時に判定値記憶部の設定内容を読み込むとともに判定値記憶部に第１フラグが設定されていると前記スイッチのオンオフを第１連動アドレスにイベントとして対応付け判定値記憶部に第２フラグが設定されていると前記スイッチのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えることを特徴とする遠隔監視制御システムの制御内容切替ユニット。
【請求項３】
前記制御対象が制御されている期間に外部連動入力アドレスを用いて伝送されるデータのオンオフが変更されると変更時点から変更後の制御対象を制御する状態と、前記制御対象が制御されている期間に外部連動入力アドレスを用いて伝送されるデータのオンオフが変更されても変更前の制御対象の制御が終了するまでは制御対象を変更しない状態とを選択する即時モード選択スイッチが付加されていることを特徴とする請求項１または請求項２記載の遠隔監視制御システムの制御内容切替ユニット。
【請求項４】
前記アドレス設定部において少なくとも入力アドレスと第１連動アドレスと第２連動アドレスとは各別に設定可能であることを特徴とする請求項１記載の遠隔監視制御システムの制御内容切替ユニット。
【請求項５】
前記連動制御部では前記アドレス設定部に前記外部連動入力アドレスが設定されていないときに第１連動アドレスと第２連動アドレスとのうちの規定された一方を選択することを特徴とする請求項２記載の遠隔監視制御システムの制御内容切替ユニット。
【請求項６】
前記アドレス設定部が不揮発性メモリにより構成されていることを特徴とする請求項１ないし請求項５のいずれか１項に記載の遠隔監視制御システムの制御内容切替ユニット。
【請求項７】
前記アドレス設定部がディップスイッチにより構成されていることを特徴とする請求項１ないし請求項５のいずれか１項に記載の遠隔監視制御システムの制御内容切替ユニット。
【発明の詳細な説明】
【０００１】
【発明の属する技術分野】
本発明は、遠隔監視制御システムの制御内容切替ユニットに関するものである。
【０００２】
【従来の技術】
従来から負荷を遠隔制御するとともに負荷の状態を遠隔監視することを可能とした遠隔監視制御システムとして、図３６に示すように、伝送ユニット１に２線式の信号線Ｌｓを介して、スイッチのオンオフをイベントの発生とする監視端末器としてのスイッチ端末器２ａ、スイッチのオンオフに相当する無電圧接点入力のオンオフをイベントの発生とする監視端末器としての接点入力端末器２ｂ、リレーを制御する制御端末器としてのリレー制御用端末器３などの端末器を接続し、スイッチ端末器２ａや接点入力端末器２ｂでのイベントに応じてリレー制御用端末器３に接続したリレーＲｙをオンオフさせる構成が知られている。図示例は、照明負荷のような負荷の制御内容を時間帯に応じて変化させるための接続例であって、この接続例の動作を説明する前に、遠隔監視制御システムの基本的な構成について説明する。
【０００３】
この遠隔監視制御システムでは、スイッチ端末器２ａ、接点入力端末器２ｂ、リレー制御用端末器３にそれぞれアドレス（以下では、必要に応じて、監視端末器のアドレスを「監視アドレス」と呼び、制御端末器のアドレスを「制御アドレス」と呼ぶ）が設定されており、伝送ユニット１においてはアドレスを用いて、スイッチ端末器２ａや接点入力端末器２ｂのような監視端末器と、リレー制御用端末器３のような制御端末器とが対応付けられる。したがって、スイッチ端末器２ａにおいてスイッチが操作されたり、接点入力端末器２ｂに無電圧接点入力が与えられると、スイッチ端末器２ａあるいは接点入力端末器２ｂから伝送ユニット１に監視データが伝送され、伝送ユニット１では監視データを受け取るとイベントを生じたスイッチ端末器２ａあるいは接点入力端末器２ｂと対応付けられているリレー制御用端末器３に対して監視データに対応する制御データを伝送し、リレー制御用端末器３を介してリレーＲｙを制御する。図示していないが、照明負荷のような負荷を制御する際にはリレー制御用端末器３に設けたリレーＲｙによって負荷への給電をオンオフさせるか、あるいはリレーを内蔵した制御用端末器を用いて照明器具に設けた制御回路に対してオンオフの指示を与える。なお、伝送ユニット１、スイッチ端末器２ａ、接点入力端末器２ｂ、リレー制御用端末器３はいずれもマイコンを主構成としている。
【０００４】
以下に、遠隔監視制御システムの動作を具体的に説明する。遠隔監視制御システムが起動されると、伝送ユニット１は、信号線Ｌｓに対して、図３７（ａ）（ｂ）のような形式の伝送信号Ｖｓを一定時間ごとに繰り返して送出する。伝送信号Ｖｓは、信号送出開始を示すスタートパルス信号ＳＹ、信号モードを示すモードデータ信号ＭＤ、スイッチ端末器２ａ、接点入力端末器２ｂ、リレー制御用端末器３を個別に識別するためのアドレスデータを伝送するアドレスデータ信号ＡＤ、負荷を制御するための制御データを伝送する制御データ信号ＣＤ、伝送エラーを検出するためのチェックサムデータ信号ＣＳ、スイッチ端末器２ａ、接点入力端末器２ｂ、リレー制御用端末器３からの返送信号を受信するタイムスロットである信号返送期間ＷＴよりなる複極（±２４Ｖ）の時分割多重信号であり、パルス幅変調によってデータが伝送される。
【０００５】
スイッチ端末器２ａ、接点入力端末器２ｂ、リレー制御用端末器３では、信号線Ｌｓを介して受信した伝送信号Ｖｓのアドレスデータがそれぞれに設定されているアドレスに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。ここに、リレー制御用端末器３における監視データはリレーＲｙのオンオフに関するデータとして用いられる。
【０００６】
伝送ユニット１は、常時は伝送信号Ｖｓに含まれるアドレスデータをサイクリックに変化させてスイッチ端末器２ａ、接点入力端末器２ｂ、リレー制御用端末器３を順次アクセスする常時ポーリングを行う常時ポーリング手段を備える。常時ポーリングの際には、伝送信号Ｖｓに含まれるアドレスデータが一致したスイッチ端末器２ａ、接点入力端末器２ｂ、リレー制御用端末器３では、伝送信号Ｖｓに含まれる制御データを取り込むことになる。一方、伝送ユニット１には、スイッチ端末器２ａ、接点入力端末器２ｂから発生した図９（ｃ）のような割込信号を受信したときに割込信号を発生したスイッチ端末器２ａまたは接点入力端末器２ｂを検出した後、当該スイッチ端末器２ａまたは当該接点入力端末器２ｂにアクセスして監視データを返送させる割込ポーリング手段も設けられている。
【０００７】
すなわち、伝送ユニット１では、常時は常時ポーリング手段によってアドレスデータをサイクリックに変更した伝送信号Ｖｓを信号線Ｌｓに送出し、スイッチ端末器２ａまたは接点入力端末器２ｂから発生した割込信号を伝送信号Ｖｓのスタートパルス信号ＳＹに同期して検出すると、割込ポーリング手段によって伝送ユニット１からモードデータ信号ＭＤを割込ポーリングモードとした伝送信号Ｖｓを送出する。割込信号を発生したスイッチ端末器２ａまたは接点入力端末器２ｂは、割込ポーリングモードの伝送信号Ｖｓのアドレスデータの上位ビットが一致していると、その伝送信号Ｖｓの信号返送期間ＷＴに同期してスイッチ端末器２ａまたは接点入力端末器２ｂに設定されているアドレスデータの下位ビットを返信データとして返送する。このようにして伝送ユニット１では割込信号を発生したスイッチ端末器２ａまたは接点入力端末器２ｂの監視アドレスを獲得する。また、伝送ユニット１における割込ポーリング手段では、割込信号を発生したスイッチ端末器２ａまたは接点入力端末器２ｂから下位ビットが返送されなければ、上位ビットを変更して割込ポーリングモードの伝送信号Ｖｓを再送する。
【０００８】
上述のようにして、割込信号を発生したスイッチ端末器２ａまたは接点入力端末器２ｂの監視アドレスおよび監視データを伝送ユニット１が獲得すると、伝送ユニット１ではスイッチ端末器２ａまたは接点入力端末器２ｂに対して監視データの返送を要求する伝送信号Ｖｓを送出し、当該スイッチ端末器２ａまたは当該接点入力端末器２ｂはイベントの内容に応じた監視データを伝送ユニット１に返送する。監視データを受け取った伝送ユニット１は、伝送ユニット１内の制御テーブル（図示せず）に設定されているアドレスの対応関係によってスイッチ端末器２ａまたは接点入力端末器２ｂにあらかじめ対応付けられているリレー制御用端末器３に対する制御データを生成し、この制御データとリレー制御用端末器３の制御アドレスとを含む伝送信号Ｖｓを信号線Ｌｓに送出してリレー制御用端末器３を通してリレーＲｙを制御する。ここに、現状の製品ではアドレスを端末器の種別とチャンネルと負荷番号との組合せにより設定してあり、チャンネルは端末器（スイッチ端末器２ａ、接点入力端末器２ｂ、リレー制御用端末器３）を単位として６４チャンネルまで設定可能であり、１台の端末器について４回路を個別に扱うことが可能になっている。つまり、制御データ信号ＣＤには各回路を個別に制御する４回路分の制御データが含まれ、信号返送期間ＷＴには４回路分の入力に個別に対応する監視データが含まれる。したがって、スイッチ端末器２ａ、接点入力端末器２ｂ、リレー制御用端末器３では、それぞれ最大で４回路に対応可能であって、システム全体では合計２５６回路が制御可能になっている。
【０００９】
いま、スイッチ端末器２ａに設けたスイッチの操作によって照明負荷を制御するようにシステムを構成しているものとする。この場合、イベントと照明負荷とを一対一に対応させる個別制御と、１つのイベントに複数の照明負荷を対応付けて１つのイベントの操作で複数の照明負荷を一括して制御する一括制御との制御が可能である。また、照明負荷を調光制御できる制御端末器を用いる場合には、イベントに対応付けて照明負荷を調光制御することが可能になる。一括制御については、複数の負荷を照明同じ状態に制御するグループ制御と、複数の照明負荷を各別にあらかじめ設定した制御状態にするパターン制御とが可能である。このように、イベントの発生に対応して、個別制御、グループ制御、パターン制御、調光制御のいずれかの制御方法で照明負荷を制御することになる。監視端末器と制御端末器とについてアドレスの対応関係は、個別制御では一対一対応になり、グループ制御やパターン制御では一対多対応になる。また、調光制御は個別制御の場合と一括制御の場合とがある。
【００１０】
伝送ユニット１の制御テーブルは、ＥＥＰＲＯＭのような書換可能かつ不揮発性であるメモリにより構成されている。制御テーブルには、イベントと負荷とを対応付けるための関係データが格納されており、グループ制御やパターン制御のような一括制御に関する関係データは、関係名としてのグループ番号あるいはパターン番号と、制御対象である複数の負荷との対応関係として設定される。つまり、イベントに対応するアドレスが関係名になり、一括制御の制御対象となる複数の負荷に対応するアドレスが関係名に対応付けられるのである。ここに、グループ制御のための各関係名（グループ番号）はＧ１，Ｇ２，……という形で付与され、パターン制御のための関係名（パターン番号）はＰ１，Ｐ２，……という形で付与される。したがって、一括制御の際にはこのような関係名をイベントに対応するアドレスに用いることによって、複数の負荷を一括して制御することが可能になる。
【００１１】
ところで、上述した遠隔監視制御システムを用いて時間帯に応じて異なる照明負荷を制御しようとする場合や時間帯に応じて照明負荷の調光レベルを変化させるような場合には、図３６に示す構成または図３８に示す構成が採用される。すなわち、図３６に示す構成では、パターン制御のためのパターン番号を２種類設定した接点入力端末器２ｂを用い、スイッチ端末器２ａのスイッチを操作したときの時間帯によっていずれかのパターン番号が選択されるように構成してある。具体的には、図示していないタイマの接点出力である切換接点（ｃ接点）ＳＷにより接点入力端末器２ｂの２つの入力を択一的に選択するように、接点入力端末器２ｂにタイマの切換接点ＳＷを接続し、さらにリレーＲｙ（ラッチング型であるリモコンリレー）の常開接点ｒを、切換接点ＳＷと接点入力端末器２ｂとの間に挿入してある。リレーＲｙはスイッチ端末器２ａに対応するリレー制御端末器３によりオンオフが制御される。ここに、リレーＲｙの電源はリモコントランス４から供給される。
【００１２】
図３６に示す構成では、スイッチ端末器２ａにおいてスイッチが操作されると、リレー制御用端末器３によりリレーＲｙの常開接点ｒがオンになり、この時点でタイマの切換接点ＳＷの選択状態に応じた入力が接点入力端末器２ｂに入力され、当該入力に応じた照明負荷が制御されることになる。図示例では接点入力端末器２ｂにおいてパターン番号Ｐ１に対応する入力が選択されているから、スイッチ端末器２ａのスイッチの操作によってパターン番号Ｐ１に対応したパターン制御が行われる。
【００１３】
一方、図３８に示す構成は、接点入力端末器２ｂへの入力としてタイマの切換接点ＳＷと押釦スイッチのような手操作される外部接点ｒ１を設けている。つまり、図３６に示した構成例におけるリレーＲｙの接点ｒを外部接点ｒ１に置き換えたものである。この構成では外部接点ｒ１を操作した時点で切換接点ＳＷにより選択された入力に対応する照明負荷が制御される。つまり、図示例の状態ではパターン番号Ｐ１に対応するパターン制御が行われる。
【００１４】
【発明が解決しようとする課題】
上述した図３６に示す構成では、接点入力端末器２ｂとリレー制御用端末器３とリレーＲｙとタイマとを、スイッチ端末器２ａとは別の場所に設けることができるから、設置スペースに問題は生じないものであり、またスイッチ端末器２ａに代えてセンサからの入力を受けてスイッチ端末器２ａと等価に機能する監視端末器を用いて照明負荷を制御することも可能であるというものの、構成要素が多く接続関係が複雑になるという問題がある。
【００１５】
一方、図３８に示す構成は構成要素が少なく接続関係も比較的簡単であるとはいうものの、外部接点ｒ１とタイマと接点入力端末器２ｂとを隣接させて配置する必要があるから、外部接点ｒ１の周辺に比較的大きい設置スペースが必要になったり、外部接点ｒ１の位置の変更が行いにくいという問題がある。また、図３６に示した構成では、複数個のスイッチ端末器２ａを同じ照明負荷に対応付けることが可能であるが、図３８に示す構成では離れた場所に配置した複数個の外部接点ｒ１で同じ対象を制御するのは困難である。
【００１６】
本発明は上記事由に鑑みて為されたものであり、その目的は、１つのイベントによって制御する制御対象を別の情報により変更することができ、端末器と同様に信号線に接続することによって複雑な接続関係とすることなく別の情報による制御対象の変更を可能とする遠隔監視制御システムの制御内容切替ユニットを提供することにある。
【００１７】
【課題を解決するための手段】
請求項１の発明は、監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、制御アドレスである入力アドレスおよび外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、入力アドレスに制御対象として対応付けられており判定値記憶部の設定内容を読み込むとともに判定値記憶部に第１フラグが設定されていると入力アドレスを用いて伝送されたデータのオンオフを第１連動アドレスにイベントとして対応付け判定値記憶部に第２フラグが設定されていると入力アドレスを用いて伝送されたデータのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えることを特徴とする。
【００１８】
請求項２の発明は、監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、手操作されるスイッチと、制御アドレスである外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、前記スイッチの操作時に判定値記憶部の設定内容を読み込むとともに判定値記憶部に第１フラグが設定されていると前記スイッチのオンオフを第１連動アドレスにイベントとして対応付け判定値記憶部に第２フラグが設定されていると前記スイッチのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えることを特徴とする。
【００１９】
請求項３の発明は、請求項１または請求項２の発明において、前記制御対象が制御されている期間に外部連動入力アドレスを用いて伝送されるデータのオンオフが変更されると変更時点から変更後の制御対象を制御する状態と、前記制御対象が制御されている期間に外部連動入力アドレスを用いて伝送されるデータのオンオフが変更されても変更前の制御対象の制御が終了するまでは制御対象を変更しない状態とを選択する即時モード選択スイッチが付加されていることを特徴とする。
【００２０】
請求項４の発明は、請求項１の発明において、前記アドレス設定部において少なくとも入力アドレスと第１連動アドレスと第２連動アドレスとは各別に設定可能であることを特徴とする。
【００２１】
請求項５の発明は、請求項２の発明において、前記連動制御部では前記アドレス設定部に前記外部連動入力アドレスが設定されていないときに第１連動アドレスと第２連動アドレスとのうちの規定された一方を選択することを特徴とする。
【００２２】
請求項６の発明は、請求項１ないし請求項５の発明において、前記アドレス設定部が不揮発性メモリにより構成されていることを特徴とする。
【００２３】
請求項７の発明は、請求項１ないし請求項５の発明において、前記アドレス設定部がディップスイッチにより構成されていることを特徴とする。
【００２４】
【発明の実施の形態】
（第１の実施の形態）
本実施形態は、図１（ａ）に示すように、制御アドレスとしての入力アドレスＡ１および外部連動入力アドレスＡ２を記憶するとともに、監視アドレスとしての第１連動アドレスＡ３および第２連動アドレスＡ４を記憶するアドレス記憶部Ｄ１と、入力アドレスＡ１、外部連動入力アドレスＡ２、第１連動アドレスＡ３、第２連動アドレスＡ４にそれぞれ対応したオンオフの状態Ｅ１〜Ｅ４を格納する状態記憶部Ｄ２とを備える。本実施形態では状態記憶部Ｄ２のうち状態Ｅ２を格納している領域が判定値記憶部として用いられる。ここに、アドレス記憶部Ｄ１にはＥＥＰＲＯＭのような不揮発性メモリが用いられる。アドレス記憶部Ｄ１の各アドレスＡ１〜Ａ４は、発光素子２１と受光素子２２とを備え別に設けた設定器（図示せず）との間で光によるワイヤレス信号を送受するワイヤレス送受信部２０とともにアドレス設定部を構成する。つまり、ワイヤレス送受信部２０では設定器からのワイヤレス信号を受光素子２２を通して受信し、設定器からの指示に従ってアドレス記憶部Ｄ１に各アドレスＡ１〜Ａ４を格納する。設定器にはアドレス記憶部Ｄ１にすでに格納されているアドレスの確認や修正の機能も設けられており、アドレスの確認や修正の際にはアドレス記憶部Ｄ１から読み出されたアドレスが発光素子２１を用いて設定器に転送される。
【００２５】
上述のように、アドレス記憶部Ｄ１は４個のアドレスＡ１〜Ａ４を格納するから、通常の監視端末器や制御端末器に設定可能なアドレス（回路）の個数と同様であり、通常の監視端末器や制御端末器にアドレスを設定するための設定器を用いてアドレス記憶部Ｄ１にアドレスＡ１〜Ａ４を設定することができる。ただし、入力アドレスＡ１および外部連動入力アドレスＡ２は制御アドレスであるから、個別制御のアドレスとしてのみ設定可能であり、第１連動アドレスＡ３および第２連動アドレスＡ４は監視アドレスであるから、個別制御のアドレスとしての設定のほか、パターン制御のアドレスやグループ制御のアドレスとしての設定が可能になる。設定器に設けた表示器２３の画面上での設定例を示すと図２のようになる。図示例では、アドレスを（チャンネル−負荷番号）の組として表してあり、入力アドレスＡ１は個別制御でアドレス（０−１）、外部連動入力アドレスＡ２は個別制御でアドレス（６３−４）、第１連動アドレスＡ３はパターン制御でアドレス（パターン番号）Ｐ１、第２連動アドレスＡ４はパターン制御でアドレス（パターン番号）Ｐ２の設定としてある。この例から明らかなように、第１連動アドレスＡ３および第２連動アドレスＡ４は入力アドレスＡ１とは異なる制御のアドレスを設定することができる。
【００２６】
アドレス記憶部Ｄ１に格納された各アドレスＡ１〜Ａ４は処理部１０において端末器のアドレスとして用いられる。処理部１０はマイコンを主構成要素とし、信号送受信部１１を介して信号線Ｌｓ（図１０参照）に接続される。信号送受信部１１は、信号線Ｌｓを伝送される伝送信号を受信する機能、電流モードの返送信号を生成する機能、伝送信号を整流平滑して処理部１０の電源とする電源回路の機能を備える。
【００２７】
処理部１０は、アドレスＡ１〜Ａ４を用いることによって伝送ユニット１（図１０参照）から見て端末器として機能する端末処理部１０ａと、状態記憶部Ｄ２に格納された状態Ｅ２がオンかオフかに応じて第１連動アドレスＡ３と第２連動アドレスＡ４との一方を用いて端末処理部１０ａを監視端末器として機能させる連動制御部１０ｂとを備える。以下では、状態Ｅ２がオンに設定されている場合を第１フラグが設定されているものとし、状態Ｅ２がオフに設定されている場合を第２フラグが設定されているものとして扱う。端末処理部１０ａには即時モード選択スイッチ１２が接続される。
【００２８】
状態記憶部Ｄ２の状態Ｅ２はあらかじめ設定しておくことが必要であり、状態Ｅ２の設定には外部連動入力アドレスＡ２を用いる。いま、アドレス記憶部Ｄ１のすべてのアドレスＡ１〜Ａ４が設定されているものとして、信号線Ｌｓを通して外部連動入力アドレスＡ２に対応した制御対象をオンまたはオフにするように伝送ユニット１（図１０参照）から伝送信号を送出させる。つまり、信号線Ｌｓに接続した適宜の監視端末器のアドレスと外部連動入力アドレスＡ２とを伝送ユニット１において対応付けておき、監視端末器においてオンまたはオフのイベントを発生させる。端末処理部１０ａでは外部連動入力アドレスＡ２に対応付けてオンまたはオフの状態が伝送ユニット１から伝送されると、監視端末器において発生したイベントがオンであれば状態Ｅ２として第１フラグを設定し、イベントがオフであれば状態Ｅ２として第２フラグを設定する。
【００２９】
このように、状態Ｅ２として第１フラグまたは第２フラグが設定された状態において、入力アドレスＡ１、第１連動アドレスＡ３、第２連動アドレスＡ４が使用可能になる。つまり、適宜のスイッチ端末器２ａ（図１０参照）のアドレスが伝送ユニット１において入力アドレスＡ１に対応付けられているものとし、図１（ｂ）のようにスイッチ端末器２ａが操作されることによって入力アドレスＡ１に対する制御が伝送ユニット１を介して本実施形態の制御内容切換ユニットに伝送される。ここで、入力アドレスＡ１に対応するオンまたはオフの制御内容は状態記憶部Ｄ２に状態Ｅ１として格納される。連動制御部１０ｂは入力アドレスＡ１を用いた伝送信号によって起動され、状態記憶部Ｄ２に設定された状態Ｅ２をよみ込む。つまり、連動制御部１０ｂは入力アドレスＡ１によって起動されるから、入力アドレスＡ１に対応する制御対象とみなすことができる。
【００３０】
連動制御部１０ｂでは、状態Ｅ２が第１フラグであると第１連動アドレスＡ３を端末処理部１０ａに引き渡して端末処理部１０ａを監視端末器として機能させ、状態Ｅ２が第２フラグであると第２連動アドレスＡ４を端末処理部１０ａに引き渡して端末処理部１０ａを監視端末器として機能させる。ここで、端末処理部１０ａのイベント（監視入力）には状態記憶部Ｄ２における状態Ｅ１を用いる。また、第１連動アドレスＡ３を用いたときには状態Ｅ１を状態Ｅ３の領域に書き込み、第２連動アドレスＡ４を用いたときには状態Ｅ１を状態Ｅ４の領域に書き込む。上述の処理によって、第１連動アドレスＡ３または第２連動アドレスＡ４が選択され、伝送ユニット１において第１連動アドレスＡ３または第２連動アドレスＡ４に対応付けられた制御対象である制御端末器にスイッチ端末器２ａのスイッチの操作内容（つまり、状態記憶部Ｄ２の状態Ｅ１）が転送される。
【００３１】
上述した説明から明らかなように、外部連動アドレスＡ２を用いて第１フラグまたは第２フラグを状態Ｅ２として設定しておけば、その設定内容に応じて第１連動アドレスＡ３または第２連動アドレスＡ４に対応する制御対象を選択して制御することが可能になるのである。ここに、状態Ｅ２は外部連動アドレスＡ２を用いて設定することができるから、適宜の監視端末器によって状態Ｅ２を設定することができるのであって、たとえばスイッチ端末器２ａを用いて状態Ｅ２を設定するのであればスイッチの操作毎に入力アドレスＡ１に対応付けたスイッチ端末器２ａの操作に対する制御対象を変更することができ、タイマを内蔵する監視端末器であるタイマユニットを用いるのであれば時間帯に応じて入力アドレスＡ１に対応付けたスイッチ端末器２ａの操作に対する制御対象を変更することができる。
【００３２】
したがって、第１連動アドレスＡ３および第２連動アドレスＡ４がパターン制御用のアドレス（パターン番号）であるとすれば、図３（ａ）のように入力アドレスＡ１に対応するスイッチ端末器２ａにおいてスイッチのオンに対応するイベントが発生するたびに、図３（ｃ）（ｄ）のように第１連動アドレスＡ３（本実施形態ではパターン番号Ｐ１）または第２連動アドレスＡ４（本実施形態ではパターン番号Ｐ２）によるパターン制御が行われる。第１連動アドレスＡ３が用いられるか第２連動アドレスＡ４が用いられるかは、図３（ｂ）のように外部連動入力アドレスＡ２に対応した状態Ｅ２により選択される。
【００３３】
第１連動アドレスＡ３および第２連動アドレスＡ４が個別制御用またはグループ制御用のアドレス（個別アドレスまたはグループ番号）であるとすれば、図４（ａ）のように入力アドレスＡ１に対応するスイッチ端末器２ａにおいてスイッチのオンまたはオフに対応するイベントが発生している期間において、図４（ｃ）（ｄ）のように第１連動アドレスＡ３または第２連動アドレスＡ４によるパターン制御が行われる。第１連動アドレスＡ３が用いられるか第２連動アドレスＡ４が用いられるかは、図４（ｂ）のように外部連動入力アドレスＡ２に対応した状態Ｅ２により選択される。
【００３４】
一方、第１連動アドレスＡ３および第２連動アドレスＡ４が個別制御用またはグループ制御用のアドレスであって、図５（ａ）のように入力アドレスＡ１に対応するイベントがオンである期間に、図５（ｂ）のように外部連動アドレスＡ２に対応する状態Ｅ２が変更された場合には、以下のような動作になる。すなわち、図５（ｃ）に示すように、状態Ｅ２の変化時点では、第１連動アドレスＡ３（第２連動アドレスＡ４も同様）に対応する制御対象の状態はオンであり、入力アドレスＡ１に対応するイベントがオフになって制御対象がオフになるまでは、外部連動アドレスＡ２に対応する状態Ｅ２が変化しても制御対象はオンに維持するようにしてある。
【００３５】
ところで、上述した動作は即時モード選択スイッチ１２がオフである場合の動作であって、即時モード選択スイッチ１２がオンであるときには、外部連動入力アドレスＡ２の変更時に入力アドレスＡ１に対応するスイッチ端末器２ａのスイッチをオンにしなくとも制御対象を制御することになる。
【００３６】
つまり、図３に示した例と同様に、第１連動アドレスＡ３および第２連動アドレスＡ４がパターン制御用のアドレス（パターン番号）であるものとし、このとき即時モード選択スイッチ１２がオンであるとすると、図６（ａ）のように入力アドレスＡ１に対応するスイッチ端末器２ａにおいてスイッチのオンに対応するイベントが発生するたびに、図６（ｃ）（ｄ）のように第１連動アドレスＡ３（本実施形態ではパターン番号Ｐ１）または第２連動アドレスＡ４（本実施形態ではパターン番号Ｐ２）によるパターン制御が行われ、かつ第１連動アドレスＡ３が用いられるか第２連動アドレスＡ４が用いられるかは、図６（ｂ）のように外部連動入力アドレスＡ２に対応した状態Ｅ２により選択される。この動作は即時モード選択スイッチ１２がオフである場合と同様である。ただし、即時モード選択スイッチ１２がオンであるときには、図６（ｂ）（ｄ）のように、外部連動入力アドレスＡ２を変更した時点で、第１連動アドレスＡ３と第２連動アドレスＡ４とのうちの変更された側のパターン制御が行われる。図示例では、外部連動入力アドレスＡ２に対応する状態Ｅ２がオンからオフに変化するから、変化時点においてオフ側に対応する第２連動アドレスＡ４によるパターン制御（パターン番号Ｐ２に対応した制御）が行われる。
【００３７】
同様にして、第１連動アドレスＡ３および第２連動アドレスＡ４が個別制御用またはグループ制御用のアドレス（個別アドレスまたはグループ番号）であるとすれば、図７（ａ）のように入力アドレスＡ１に対応するスイッチ端末器２ａにおいてスイッチのオンまたはオフに対応するイベントが発生している期間において、図７（ｃ）（ｄ）のように第１連動アドレスＡ３または第２連動アドレスＡ４によるパターン制御が行われる。第１連動アドレスＡ３が用いられるか第２連動アドレスＡ４が用いられるかは、図７（ｂ）のように外部連動入力アドレスＡ２に対応した状態Ｅ２により選択される。ここで、図７の動作例では入力アドレスＡ１に対応するスイッチ端末器２ａのスイッチがオフである期間に外部連動入力アドレスＡ２に対応した状態Ｅ２が変化しているから、即時モード選択スイッチ１２がオンであるにもかかわらず、状態Ｅ２の変化時点では第１連動アドレスＡ３と第２連動アドレスＡ４とに対応する制御は行われない。
【００３８】
一方、第１連動アドレスＡ３および第２連動アドレスＡ４が個別制御用またはグループ制御用のアドレスであって、図８（ａ）のように入力アドレスＡ１に対応するイベントがオンである期間に、図８（ｂ）のように外部連動アドレスＡ２に対応する状態Ｅ２が変更された場合には、即時モード選択スイッチ１２がオンであることによって、以下のような動作になる。すなわち、図８（ｃ）に示すように、状態Ｅ２の変化前には第１連動アドレスＡ３（第２連動アドレスＡ４も同様）に対応する制御対象の状態はオンであるが、状態Ｅ２が変化すると入力アドレスＡ１に対応するイベントがオフになるのを待たずに第２連動アドレスＡ４（第１連動アドレスＡ３も同様）に対応する制御対象の状態をオンにする。
【００３９】
以上の説明から明らかなように、即時モード選択スイッチ１２がオンであるときには、制御対象がオンである期間に外部連動入力アドレスＡ２に対応する状態Ｅ２が変化すると、変化時点で即時に状態Ｅ２に対応する制御対象を切り換えるのである。
【００４０】
本実施形態は、図９に示すように、いわゆる分電盤協約寸法の器体３０を備え、分電盤ないし制御盤に他の内器とともに収納可能になっている。この器体３０は、長手方向の両端部に取付片３１を備え、取付片３１に貫設した取付孔３２にねじを通すことによって分電盤ないし制御盤に固定される。また、図９（ｂ）における器体３０の上部では長手方向の両端部に端子台３３が設けられ、一方の端子台３３に設けたねじ付き端子３６に信号線Ｌｓが接続される。両端子台３３の間には凹所３４が形成され、凹所３４の底面に発光素子２１および受光素子２２に対応した窓部３５が形成される。窓部３５にはスライドスイッチからなる即時モード選択スイッチ１２の操作部が露出する。
【００４１】
本実施形態の制御内容切換ユニットＸを用いて、図３６、図３８に示した従来構成と同様の動作を可能とする使用例を図１０、図１１に示す。図１０は図３６に示した従来構成と同様に動作する構成例であって、スイッチ端末器２ａと、監視端末器としてのタイマユニット２ｃと、制御内容切換ユニットＸとをそれぞれ信号線Ｌｓに接続してある。タイマユニット２ｃは、あらかじめ設定したタイムスケジュールに従って指定された時刻になるとオンまたはオフに対応するイベントを発生する監視端末器であり、イベントを発生するタイミングが時刻によって規定されている点を除けばスイッチ端末器２ａと同様に動作する。
【００４２】
この構成例では、スイッチ端末器２ａを入力アドレスＡ１に対応付けてあり、タイマユニット２ｃを外部連動入力アドレスＡ２に対応付けてある。したがって、タイマユニット２ｃに設定されたタイムスケジュールに従って外部連動入力アドレスＡ２に対応する状態Ｅ２がオンまたはオフに切り換えられ、スイッチ端末器２ａに設けたスイッチの操作に対応して第１連動アドレスＡ３または第２連動アドレスＡ４に対応する制御対象が制御されることになる。
【００４３】
図１０に示した構成と図３６に示した構成とを比較すれば明らかなように、リレー制御用端末器３、リレーＲｙ、リモコントランス４、タイマ（切換接点ＳＷ）、接点入力端末器２ｂの５つの構成要素に対して、制御内容切換ユニットＸとタイマユニット２ｃとの２つの構成要素のみで同様の機能を実現することができ、構成要素数を従来構成よりも少なくすることができる。しかも、制御内容切換ユニットＸを用いたことによって、接続関係をとくに考慮することなく制御内容切換ユニットＸとタイマユニット２ｃとを信号線Ｌｓに接続するだけで施工することができ、配線施工が簡単になる。その上、従来構成ではリレー制御用端末器３、リレーＲｙ、リモコントランス４、タイマ（切換接点ＳＷ）、接点入力端末器２ｂを隣接して配置することになるのに対して、本実施形態では制御内容切換ユニットＸとタイマユニット２ｃとを信号線Ｌｓの任意の場所に接続すればよいから、設置スペースの制約が少なくなる。
【００４４】
図１１に示す構成例は図３８に示した従来構成と同様に動作する構成例であり、接点入力端末器２ｂとタイマユニット２ｃと制御内容切換ユニットＸとを信号線Ｌｓに接続し、接点入力端末器２ｂには押釦スイッチのような手操作される外部接点ｒ２を設けてある。要するに、接点入力端末器２ｂへの監視入力として外部接点ｒ２を設けることによって、図１０に示した構成のスイッチ端末器２ａと同様の機能を持たせてある。したがって、図１０に示した構成と同様に動作することになる。外部接点ｒ２は人感センサや明るさセンサのようなセンサの無電圧接点出力に置き換えることも可能である。図１１の構成例についても図１０に示した構成例と同様に、配線施工が容易であり、また設置スペースの制約が少ないものである。
【００４５】
なお、上述した構成例では外部接点入力アドレスＡ２に対応する状態Ｅ２を変化させるためにタイマユニット２ｃを用いているが、人感センサや明るさセンサのようなセンサでの検出情報や制御対象の制御情報などを用いて状態Ｅ２を変化させることも可能である。
【００４６】
（第２の実施の形態）
本実施形態は、図１２に示すように、ＪＩＳ規格において規格化されている埋込型連接用の配線器具（大角形の配線器具）を取り付ける取付枠５（図１５参照）に取着可能な器体４０を用い、器体４０の前面に押釦スイッチからなるスイッチ１５の操作部を設けたものである。また、器体４０の前面であってスイッチ１５の上方には設定器（図示せず）との間でワイヤレス信号を送受することによってアドレス記憶部Ｄ１にアドレスを設定するための発光素子２１および受光素子２２に対応した窓部４２が設けられる。図１２に示す器体４０は配線器具の１個モジュール寸法に形成されており、３個用の取付枠５に対して３個まで連接可能に形成されている。取付枠５に対しては器体４０の両側面に各一対突設した取付爪４３を取付枠５に係合させる形で取り付けられる。また、即時モード選択スイッチ１２を設ける場合には、即時モード選択スイッチ１２にスライドスイッチを用い、図１３に示すように、器体４０の前面であってスイッチ１５の下方に操作部を露出させるように配置すればよい。また、信号線Ｌｓには器体４０の後面に設けたねじ付き端子４４を用いる。
【００４７】
ここに、上述した構成例では１個モジュール寸法の器体４０を用いており器体４０にはスイッチ１５を１個だけ設けているが、図１４ないし図１９に示すように３個モジュール寸法の器体４０を用い、スイッチ１５を２個、３個、４個のいずれかの個数設けることも可能である。このように複数個のスイッチ１５を設ける場合でも即時モード選択スイッチ１２は１つの器体４０について１個だけ設ければよい。
【００４８】
ところで、本実施形態の構成は、スイッチ１５を設けることによって入力アドレスＡ１に対応するスイッチ端末器２ａを不要にすることを目的としており、第１の実施の形態においてスイッチ端末２ａから伝送ユニット１を通して入力アドレスＡ１での制御を行う過程を不要にしてある。その結果、図２０に示すように、入力アドレスＡ１が不要になっており、アドレス記憶部Ｄ１には外部連動入力アドレスＡ２と第１連動アドレスＡ３と第２連動アドレスＡ４との３個のアドレスが格納される。同様に、状態記憶部Ｄ２には状態Ｅ２〜Ｅ４の３個の状態を記憶する領域が設けられる。図示例は図１８および図１９に対応する構成例であって、４個のスイッチ１５について、それぞれ発光素子２１および受光素子２２を設け、各スイッチ１５ごとにアドレス記憶部Ｄ１および状態記憶部Ｄ２を設けてある。各スイッチ１５には制御対象のオンオフの状態を示すために２個の発光ダイオードを用いた表示部１３が設けられており、２個の発光ダイオードのうちの一方が制御対象のオンに対応して点灯し、他方がオフに対応して点灯するように表示駆動部１４を介して表示部１３が処理部１０に接続されている。なお、本実施形態の構成では外部連動入力アドレスＡ２を変化させなければ、通常のスイッチ端末器２ａと同様の動作になる。たとえば、外部連動入力アドレスＡ２を設定していないときには、デフォルトとして外部連動入力アドレスＡ２がオフであるときと同様に第２連動アドレスＡ４を選択するようにしておくことによって、通常のスイッチ端末器２ａとして用いることができる。
【００４９】
本実施形態の構成において各アドレスＡ２〜Ａ４を設定器により設定する際の表示器２３の表示例を図２１に示す。図示例では、上から順に第２連動アドレスＡ４、外部連動入力アドレスＡ２、第１連動アドレスＡ３を表している。なお、この順序は処理部１０の構成によって変更可能である。
【００５０】
本実施形態では制御対象のオンオフを操作するためのスイッチ１５を備えており、スイッチ１５にはモメンタリ型の押釦スイッチを用いている。したがって、図２２（ａ）または図２５（ａ）のようなスイッチ１５の操作毎に、図２２（ｃ）（ｄ）または図２５（ｃ）（ｄ）のようにパターン制御が行われるか、あるいは、図２３、図２４、図２６、図２７の各図（ｂ）のようなスイッチ１５の操作毎に、各図（ｃ）（ｄ）のように制御対象のオンオフが反転することになる。ただし、他の動作は第１の実施の形態と同様であり、即時モード選択スイッチ１２のオンオフに対応する動作も第１の実施の形態において説明した通りである。
【００５１】
本実施形態では、スイッチ１５を設けているから、図２８に示すように図１０に示した第１の実施の形態を用いた構成例と同様の動作を、スイッチ端末器２ａを用いることなく実現することができる。したがって、信号線Ｌｓに対して制御内容切換ユニットＸとタイマユニット２ｃとを接続するだけで図１０に示した構成と同様の動作が可能になる。他の構成および動作は第１の実施の形態と同様である。
【００５２】
（第３の実施の形態）
第１の実施の形態では、入力アドレスＡ１、外部連動入力アドレスＡ２、第１連動アドレスＡ３、第２連動アドレスＡ４を記憶する不揮発性メモリからなるアドレス記憶部Ｄ１を設けており、アドレス記憶部Ｄ１に各アドレスＡ１〜Ａ４を書き込むために、ワイヤレス送受信部２０、発光素子２１、受光素子２２を設けていたのに対して、図２９に示すように、本実施形態は各アドレスＡ１〜Ａ４をそれぞれディップスイッチからなるアドレススイッチＳ１〜Ｓ４により設定するものである。つまり、アドレススイッチＳ１〜Ｓ４によりアドレス設定部が構成されており、各アドレススイッチＳ１〜Ｓ４はスイッチ選択部２４を介して処理部１０に接続される。他の構成は図１（ａ）に示した第１の実施の形態と同様である。
【００５３】
本実施形態では、図３０に示すように、いわゆる分電盤協約寸法の器体５０を用いており、図３０（ｂ）における器体５０の上部では、器体５０の長手方向の一端部に端子台５１が設けられ、器体５０の上面のうち端子台５１を設けていない部位にアドレススイッチＳ１〜Ｓ４の操作部が配列される。また、器体５０の上面にはスライドスイッチからなる即時モード選択スイッチ１２の操作部も露出する。端子台５１には信号線Ｌｓが接続されるねじ付き端子５２が設けられる。
【００５４】
本実施形態は第１の実施の形態におけるアドレス記憶部Ｄ１に代えてアドレススイッチＳ１〜Ｓ４からなるアドレス設定部を設けた点が異なるが、他の構成および動作については第１の実施の形態と同様であるから、同様に使用することができる。すなわち、図１０および図１１に示した第１の実施の形態の使用例と同様の動作を、図３１および図３２に示す構成で実現することができる。
【００５５】
（第４の実施の形態）
本実施形態は、図３３に示すように、第２の実施の形態におけるアドレス記憶部Ｄ１に代えて、第３の実施の形態と同様にアドレススイッチＳ２〜Ｓ４を設けたものである。つまり、スイッチ１５を設けることによって入力アドレスＡ１の設定を不要としているものであって、アドレス記憶部Ｄ１に各アドレスＡ２〜Ａ４を書き込むためのワイヤレス送受信部２０、発光素子２１、受光素子２２も不要になっている。つまり、アドレススイッチＳ２〜Ｓ４によりアドレス設定部が構成されており、各アドレススイッチＳ２〜Ｓ４はスイッチ選択部２４を介して処理部１０に接続される。他の構成は第２の実施の形態と同様である。
【００５６】
本実施形態では、図３４に示すように、埋込型連接用配線器具である大角形の配線器具における３個モジュール寸法の器体６０を備える。ただし、本実施形態ではこの器体６０にスイッチ１５を１個だけ設けている。アドレススイッチＳ２〜Ｓ４の操作部、即時モード選択スイッチ１２の操作部、信号線Ｌｓに接続するためのねじ付き端子６１はいずれも器体６０の後面に露出する。
【００５７】
本実施形態は第２の実施の形態におけるアドレス記憶部Ｄ１に代えてアドレススイッチＳ２〜Ｓ４からなるアドレス設定部を設けた点が異なるが、他の構成および動作については第２の実施の形態と同様であるから、同様に使用することができる。すなわち、図２８に示した第２の実施の形態の使用例と同様の動作を、図３５に示す構成で実現することができる。他の構成および動作は第２の実施の形態と同様である。
【００５８】
【発明の効果】
請求項１の発明は、監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、制御アドレスである入力アドレスおよび外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、入力アドレスに制御対象として対応付けられており判定値記憶部の設定内容を読み込むとともに判定値記憶部に第１フラグが設定されていると入力アドレスを用いて伝送されたデータのオンオフを第１連動アドレスにイベントとして対応付け判定値記憶部に第２フラグが設定されていると入力アドレスを用いて伝送されたデータのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えるものであり、外部連動入力アドレスを用いて監視端末器により判定値記憶部に第１フラグまたは第２フラグを設定しておけば、入力アドレスを用いて監視端末器からオンオフのデータが伝送されたときに、第１連動アドレスまたは第２連動アドレスを用いて他の制御端末器に対して制御対象の制御を指示することができるから、１つの入力アドレスに対応する１つのイベントによって制御する制御対象を、外部連動入力アドレスに対応付けた適宜の情報によって変更することが可能であり、たとえば１つのイベントにより制御される制御対象を時間帯や制御対象の状態やセンサでの検出情報などに基づいて変更することが可能になる。また、監視端末器および制御端末器としての機能を用いているから、信号線に接続するだけの簡単な接続関係で各種情報とに連動させて制御対象を変更することが可能になる。
【００５９】
請求項２の発明は、監視アドレスを備える監視端末器および制御アドレスを備える制御端末器を信号線に接続し、信号線に接続された伝送ユニットが監視端末器との間で監視アドレスを用いるとともに制御端末器との間で制御アドレスを用いてオンオフのデータを含む伝送信号を時分割多重伝送方式で伝送し、伝送ユニットにおいて監視アドレスと制御アドレスとの対応関係を設定することにより監視端末器で生じるイベントに対応付けて制御端末器で制御対象を制御するようにした遠隔監視制御システムに用いられ、手操作されるスイッチと、制御アドレスである外部連動入力アドレスと監視アドレスである第１連動アドレスおよび第２連動アドレスとが設定されるアドレス設定部と、外部連動入力アドレスに制御対象として対応付けられたメモリであって外部連動入力アドレスを用いて伝送されるデータのオンオフに応じて第１フラグと第２フラグとの一方が選択的に設定される判定値記憶部と、前記スイッチの操作時に判定値記憶部の設定内容を読み込むとともに判定値記憶部に第１フラグが設定されていると前記スイッチのオンオフを第１連動アドレスにイベントとして対応付け判定値記憶部に第２フラグが設定されていると前記スイッチのオンオフを第２連動アドレスにイベントとして対応付ける連動制御部と、前記信号線に接続され連動制御部により選択された第１連動アドレスと第２連動アドレスとの一方を用いて監視端末器として機能する端末処理部とを備えるものであり、外部連動入力アドレスを用いて監視端末器により判定値記憶部に第１フラグまたは第２フラグを設定しておけば、スイッチが操作されたときに、第１連動アドレスまたは第２連動アドレスを用いて他の制御端末器に対して制御対象の制御を指示することができるから、１つのスイッチの操作によって制御する制御対象を、外部連動入力アドレスに対応付けた適宜の情報によって変更することが可能であり、たとえばスイッチの操作により制御される制御対象を時間帯や制御対象の状態やセンサでの検出情報などに基づいて変更することが可能になる。また、監視端末器および制御端末器としての機能を用いているから、信号線に接続するだけの簡単な接続関係で各種情報とに連動させて制御対象を変更することが可能になる。
【００６０】
請求項３の発明は、請求項１または請求項２の発明において、前記制御対象が制御されている期間に外部連動入力アドレスを用いて伝送されるデータのオンオフが変更されると変更時点から変更後の制御対象を制御する状態と、前記制御対象が制御されている期間に外部連動入力アドレスを用いて伝送されるデータのオンオフが変更されても変更前の制御対象の制御が終了するまでは制御対象を変更しない状態とを選択する即時モード選択スイッチが付加されているので、外部連動入力アドレスを用いて伝送されるデータのオンオフが変更された時点で変更後の制御対象を制御する状態を即時モード選択スイッチによって選択しているときには、データのオンオフが変更された時点で制御対象にただちに反映されることになる。一方、外部連動入力アドレスを用いて伝送されるデータのオンオフが変更されても変更前の制御対象の制御が終了するまでは制御対象を変更しない状態を即時モード選択スイッチによって選択しているときには、データのオンオフが変更されても制御対象の状態が意図せずに変更されることがなく、たとえば照明負荷を制御対象としているときに、照明負荷の点灯中に照明状態が自動的に変更されて不都合が生じることがない。
【００６１】
請求項４の発明は、請求項１の発明において、前記アドレス設定部において少なくとも入力アドレスと第１連動アドレスと第２連動アドレスとは各別に設定可能であるので、たとえば入力アドレスは監視端末器に１対１に対応付けておき、第１連動アドレスおよび第２連動アドレスは制御端末器に１対多に対応付けるような制御が可能である。つまり、入力アドレスについては個別制御に対応するように設定し、第１連動アドレスおよび第２連動アドレスについてはパターン制御に対応するように設定することが可能になる。
【００６２】
請求項５の発明は、請求項２の発明において、前記連動制御部では前記アドレス設定部に前記外部連動入力アドレスが設定されていないときに第１連動アドレスと第２連動アドレスとのうちの規定された一方を選択するものであり、スイッチの操作により特定の制御対象を制御することになるから、スイッチを備える通常の監視端末器として機能させることが可能になる。
【００６３】
請求項６の発明は、請求項１ないし請求項５の発明において、前記アドレス設定部が不揮発性メモリにより構成されているものであり、アドレス設定部の内容を電気的に変更することができ、結果的にアドレス設定部の内容の設定操作が容易になる。
【００６４】
請求項７の発明は、請求項１ないし請求項５の発明において、前記アドレス設定部がディップスイッチにより構成されているものであり、アドレス設定部の内容を別途の装置を用いることなく設定することができる。
【図面の簡単な説明】
【図１】本発明の第１の実施の形態を示し、（ａ）はブロック図、（ｂ）は動作説明図である。
【図２】同上におけるアドレス設定例を示す説明図である。
【図３】同上の動作説明図である。
【図４】同上の動作説明図である。
【図５】同上の動作説明図である。
【図６】同上の動作説明図である。
【図７】同上の動作説明図である。
【図８】同上の動作説明図である。
【図９】同上の外観を示し、（ａ）は平面図、（ｂ）は正面図である。
【図１０】同上の使用例を示す図である。
【図１１】同上の他の使用例を示す図である。
【図１２】本発明の第２の実施の形態を示し、（ａ）は正面図、（ｂ）は下面図、（ｃ）は側面図である。
【図１３】同上の概略正面図である。
【図１４】同上の他の構成例を示し、（ａ）は正面図、（ｂ）は側面図である。
【図１５】図１４に示した構成の概略正面図である。
【図１６】同上のさらに他の構成例を示し、（ａ）は正面図、（ｂ）は側面図である。
【図１７】図１６に示した構成の概略正面図である。
【図１８】同上の別の構成例を示し、（ａ）は正面図、（ｂ）は側面図である。
【図１９】図１８に示した構成の概略正面図である。
【図２０】同上のブロック図である。
【図２１】同上におけるアドレス設定例を示す説明図である。
【図２２】同上の動作説明図である。
【図２３】同上の動作説明図である。
【図２４】同上の動作説明図である。
【図２５】同上の動作説明図である。
【図２６】同上の動作説明図である。
【図２７】同上の動作説明図である。
【図２８】同上の使用例を示す図である。
【図２９】本発明の第３の実施の形態を示すブロック図である。
【図３０】同上の外観を示し、（ａ）は平面図、（ｂ）は正面図、（ｃ）は側面図である。
【図３１】同上の使用例を示す図である。
【図３２】同上の他の使用例を示す図である。
【図３３】本発明の第４の実施の形態を示すブロック図である。
【図３４】同上の外観を示し、（ａ）は正面図、（ｂ）は側面図、（ｃ）は背面図である。
【図３５】同上の使用例を示す図である。
【図３６】従来例としての接続例を示す図である。
【図３７】遠隔監視制御システムに用いる伝送信号を示す図である。
【図３８】従来例としての他の接続例を示す図である。
【符号の説明】
１  伝送ユニット
２ａ  スイッチ端末器
１０ａ  端末処理部
１０ｂ  連動制御部
１２  即時モード選択スイッチ
１５  スイッチ
Ａ１  入力アドレス
Ａ２  外部連動入力アドレス
Ａ３  第１連動アドレス
Ａ４  第２連動アドレス
Ｄ１  アドレス記憶部
Ｄ２  状態記憶部
Ｅ２  状態
Ｌｓ  信号線
【図１】
0003666417.tif 000002
【図２】
0003666417.tif 000003
【図３】
0003666417.tif 000004
【図４】
0003666417.tif 000005
【図５】
0003666417.tif 000006
【図６】
0003666417.tif 000007
【図７】
0003666417.tif 000008
【図８】
0003666417.tif 000009
【図９】
0003666417.tif 000010
【図１０】
0003666417.tif 000011
【図１１】
0003666417.tif 000012
【図１２】
0003666417.tif 000013
【図１３】
0003666417.tif 000014
【図１４】
0003666417.tif 000015
【図１５】
0003666417.tif 000016
【図１６】
0003666417.tif 000017
【図１７】
0003666417.tif 000018
【図１８】
0003666417.tif 000019
【図１９】
0003666417.tif 000020
【図２０】
0003666417.tif 000021
【図２１】
0003666417.tif 000022
【図２２】
0003666417.tif 000023
【図２３】
0003666417.tif 000024
【図２４】
0003666417.tif 000025
【図２５】
0003666417.tif 000026
【図２６】
0003666417.tif 000027
【図２７】
0003666417.tif 000028
【図２８】
0003666417.tif 000029
【図２９】
0003666417.tif 000030
【図３０】
0003666417.tif 000031
【図３１】
0003666417.tif 000032
【図３２】
0003666417.tif 000033
【図３３】
0003666417.tif 000034
【図３４】
0003666417.tif 000035
【図３５】
0003666417.tif 000036
【図３６】
0003666417.tif 000037
【図３７】
0003666417.tif 000038
【図３８】
0003666417.tif 000039